(57)【要約】【課題】限定された宛先のみに文書データを送信することで、セキュリティの改善が可能な画像処理装置を提供する。【解決手段】原稿を読み取って文書データとして蓄積する蓄積手段と、原稿の置き忘れ通知先を予め設定する設定手段と、読み取り動作終了時に残っている原稿を置き忘れ原稿であるか否か判断する検出手段と、前記置き忘れ通知先に対して文書データを送信する送信手段とを有する。【選択図】図１
2009100024.tif 000002
【特許請求の範囲】
【請求項１】
原稿を読み取って文書データとして蓄積する蓄積手段と、
原稿の置き忘れ通知先を予め設定する設定手段と、
読み取り動作終了時に残っている原稿を置き忘れ原稿であるか否か判断する検出手段と、
前記置き忘れ通知先に対して文書データを送信する送信手段とを有することを特徴とする画像処理装置。
【請求項２】
前記送信手段は、前記原稿の置き忘れがあると判断された際に、前記置き忘れ通知先に対して文書データ、前記置き忘れ通知先として設定していない通知先に対して内容の詳細が伏せられた文書データを送信することを特徴とする請求項１に記載の画像処理装置。
【請求項３】
前記検出手段は、原稿の種類を検出し、
前記送信手段は、検出した前記原稿の種類に従って、前記置き忘れ通知先に対して前記文書データの送信を中止することを特徴とする請求項２に記載の画像処理装置。
【請求項４】
前記設定手段は、原稿の種類毎に対応させて置き忘れ通知先を設定し、
前記送信手段は、前記原稿の置き忘れが検出された際に、対応させた前記置き忘れ通知先に置き忘れを通知することを特徴とする請求項３に記載の画像処理装置。
【請求項５】
前記検出手段は、原稿の地紋を基に、原稿情報およびユーザ情報を検出し、
前記送信手段は、検出した前記原稿情報およびユーザ情報を基に、置き忘れの通知および前記文書データの送信を行うことを特徴とする請求項１から４のいずれか１項に記載の画像処理装置。
【請求項６】
置き忘れが継続している時間を計測する計測手段をさらに有し、
前記送信手段は、一定時間継続した際に、前記置き忘れ通知先に置き忘れを通知することを特徴とする請求項５に記載の画像処理装置。
【請求項７】
前記設定手段は、原稿の種類毎に置き忘れ通知先を設定する際に、置き忘れ継続時間を共に設定し、
前記送信手段は、一定時間継続した際に、前記継続時間毎に設定した前記置き忘れ通知先に対して置き忘れの通知および前記文書データの送信を行うことを特徴とする請求項６に記載の画像処理装置。
【発明の詳細な説明】
【技術分野】
【０００１】
本発明は、原稿置き忘れを通知する画像処理装置に関する。
【背景技術】
【０００２】
複写機で原稿をコピーした際に、原稿を複写機内部に置き忘れてしまう場合がある。これを防止するために、従来では、通常の複写機では原稿を置き忘れた場合に警告を発する手段を設けた技術、原稿を紛失したり、機密の漏洩を防止するための技術、置き忘れをユーザに知らせる技術等が開示されている。
【０００３】
特許文献１では、複写機への原稿置き忘れが発生した場合に、ネットワークを介してその内容をブロードキャストする手段を有する原稿読取装置および画像形成装置が開示されている。
【０００４】
具体的には、原稿検出センサによりコンタクトガラス上の原稿の有無を検出し、コンタクトガラス上に原稿が置き忘れられているときには、操作パネルの表示器により置き忘れを表示する。また原稿が置き忘れられているときは、圧板自動開閉装置により圧板を開放する。さらに、ネットワークを介してクライアントＰＣの利用者にも原稿の置き忘れを知らせるようにする。
【特許文献１】特開２００５−３１８４２６号公報
【発明の開示】
【発明が解決しようとする課題】
【０００５】
しかし置き忘れられた原稿の文書データを全ての利用者に等しく送信することは、原稿の内容が利用者全てに伝わることとなり、セキュリティ上好ましくない。
【０００６】
そこで本発明は、限定された宛先のみに文書データを送信することで、セキュリティの改善が可能な画像処理装置を提供することを目的とする。
【課題を解決するための手段】
【０００７】
上記の目的を達成するため、請求項１に記載の発明は、原稿を読み取って文書データとして蓄積する蓄積手段と、原稿の置き忘れ通知先を予め設定する設定手段と、読み取り動作終了時に残っている原稿を置き忘れ原稿であるか否か判断する検出手段と、前記置き忘れ通知先に対して文書データを送信する送信手段とを有する画像処理装置であることを特徴とする。
【０００８】
請求項２に記載の発明は、請求項１に記載の画像処理装置において、前記送信手段は、前記原稿の置き忘れがあると判断された際に、前記置き忘れ通知先に対して文書データ、前記置き忘れ通知先として設定していない通知先に対して内容の詳細が伏せられた文書データを送信することを特徴とする。
【０００９】
請求項３に記載の発明は、請求項２に記載の画像処理装置において、前記検出手段は、原稿の種類を検出し、前記送信手段は、検出した前記原稿の種類に従って、前記置き忘れ通知先に対して前記文書データの送信を中止することを特徴とする。
【００１０】
請求項４に記載の発明は、請求項３に記載の画像処理装置において、前記設定手段は、原稿の種類毎に対応させて置き忘れ通知先を設定し、前記送信手段は、前記原稿の置き忘れが検出された際に、対応させた前記置き忘れ通知先に置き忘れを通知することを特徴とする。
【００１１】
請求項５に記載の発明は、請求項１から４のいずれか１項に記載の画像処理装置において、前記検出手段は、原稿の地紋を基に、原稿情報およびユーザ情報を検出し、前記送信手段は、検出した前記原稿情報およびユーザ情報を基に、置き忘れの通知および前記文書データの送信を行うことを特徴とする。
【００１２】
請求項６に記載の発明は、請求項５に記載の画像処理装置において、置き忘れが継続している時間を計測する計測手段をさらに有し、前記送信手段は、一定時間継続した際に、前記置き忘れ通知先に置き忘れを通知することを特徴とする。
【００１３】
請求項７に記載の発明は、請求項６に記載の画像処理装置において、前記設定手段は、原稿の種類毎に置き忘れ通知先を設定する際に、置き忘れ継続時間を共に設定し、前記送信手段は、一定時間継続した際に、前記継続時間毎に設定した前記置き忘れ通知先に対して置き忘れの通知および前記文書データの送信を行うことを特徴とする。
【発明の効果】
【００１４】
そこで本発明によれば、限定された宛先のみに文書データを送信することで、セキュリティの改善が可能な画像処理装置を提供することを可能とする。
【発明を実施するための最良の形態】
【００１５】
本発明は、以下の特徴を有する。
【００１６】
本発明にかかる第１の画像処理装置は、原稿を読み取って文書データとして蓄積する蓄積手段と、原稿の置き忘れ通知先を予め設定する設定手段と、読み取り動作終了時に残っている原稿を置き忘れ原稿であるか否か判断する検出手段と、前記置き忘れ通知先に対して文書データを送信する送信手段とを有する。
上記構成によれば、登録された宛先にのみ文書データが送信されるため、セキュリティが改善される。
【００１７】
上記第１の画像処理装置では、置き忘れ通知先以外には置き忘れの事実が知らされないため、通知先が不在の時には迅速な置き忘れ原稿の回収がおこなわれない。
【００１８】
そこで、本発明にかかる第２の画像処理装置は、前記送信手段は、前記原稿の置き忘れがあると判断された際に、前記置き忘れ通知先に対して文書データ、前記置き忘れ通知先として設定していない通知先に対して内容の詳細が伏せられた文書データを送信する。
上記構成によれば、詳細のわからない文書データが送信されるため、安全に置き忘れの存在が通知され、セキュリティが改善される。
【００１９】
また、上述した第１の画像処理装置の構成によれば、原稿が重要文書であっても関係なく、設定済みの置き忘れ通知先に文書の内容が伝わってしまうため、セキュリティ上好ましくない。
【００２０】
そこで、本発明にかかる第３の画像処理装置は、前記検出手段は、原稿の種類を検出し、
前記送信手段は、検出した前記原稿の種類に従って、前記置き忘れ通知先に対して前記文書データの送信を中止する。
上記構成によれば、原稿の種類によって送信をしないことで、置き忘れ通知先に重要文書の内容が伝わることがないため、セキュリティの改善を可能とする。
【００２１】
本発明にかかる第３の画像処理装置は、重要文書の置き忘れ通知がされないため、長期間に渡って置き忘れが継続する恐れがあるため、セキュリティ上好ましくない。
【００２２】
そこで、本発明にかかる第４の画像処理装置は、重要文書置き忘れの通知を中止するのではなく、重要文書のために設定された置き忘れ通知先に宛先を変更することで、セキュリティの改善を目的とする。
【００２３】
本発明にかかる第４の画像処理装置は、前記設定手段は、原稿の種類毎に対応させて置き忘れ通知先を設定し、前記送信手段は、前記原稿の置き忘れが検出された際に、対応させた前記置き忘れ通知先に置き忘れを通知する。
上記構成によれば、原稿の種類によって置き忘れの通知先を変えることができるため、文書の種類に応じたセキュアな通知が可能である。
【００２４】
本発明にかかる第５の画像処理装置は、前記検出手段は、原稿の地紋を基に、原稿情報およびユーザ情報を検出し、前記送信手段は、検出した前記原稿情報およびユーザ情報を基に、置き忘れの通知および前記文書データの送信を行う。
上記構成によれば、個々の原稿に埋め込まれた宛先に置き忘れを通知することで、原稿の回収を促し、セキュリティが改善される。
【００２５】
本発明にかかる第３の画像処理装置は、重要文書の置き忘れ通知がされないため、長期間に渡って置き忘れが継続する恐れがあり、セキュリティ上好ましくない。
【００２６】
本発明にかかる第６の画像処理装置は、置き忘れが継続している時間を計測する計測手段をさらに有し、前記送信手段は、一定時間継続した際に、前記置き忘れ通知先に置き忘れを通知する。
上記構成によれば、一定時間経過後に置き忘れが通知されて回収が促されるため、重要文書置き忘れが長期化せずにセキュリティが改善される。
【００２７】
また、一定時間経過しない限り重要文書の置き忘れが誰にも通知されず、置き忘れの回収が遅れがちになり、セキュリティ上好ましくない。
【００２８】
本発明にかかる第７の画像処理装置は、置き忘れが継続した場合には設定済みの置き忘れ通知先に通知を実施することで、原稿の回収を促し、セキュリティの改善を目的とする。
【００２９】
本発明にかかる第７の画像処理装置は、前記設定手段は、原稿の種類毎に置き忘れ通知先を設定する際に、置き忘れ継続時間を共に設定し、前記送信手段は、一定時間継続した際に、前記継続時間毎に設定した前記置き忘れ通知先に対して置き忘れの通知および前記文書データの送信を行う。
上記構成によれば、重要文書置き忘れの通知を中止するのではなく、重要文書のために設定された置き忘れ通知先に宛先を変更することで、セキュリティが改善される。
【００３０】
また、本発明によれば、置き忘れが発生した時点から、原稿の種類に応じた置き忘れ通知が実施されるため、重要文書の置き忘れが長期化せずに安全性が高まる。
また、一定時間経過しない限り重要文書の置き忘れが誰にも通知されず、置き忘れの回収が遅れがちになり、セキュリティ上好ましくないという問題を改善し、重要文書置き忘れの通知を中止するのではなく、個々の原稿に埋め込まれた通知先に宛先を変更することで、原稿の回収を促し、セキュリティが改善される。
さらに、置き忘れが発生した時点から、原稿に埋め込まれた宛先に通知されるため、重要文書の置き忘れが長期化せずに安全性が高まる。
【００３１】
上述した特徴を有する本発明における画像処理装置およびその周辺構成例を図１を用いて説明する。
本発明では、画像処理装置の一例として、複写機を例に挙げている。
以下に示す用語は、その要旨を逸脱しない範囲内において当業者が修正や代用を行い、種々の変更を施し、構築することを可能とする。
【００３２】
この複写機１は、ｕｆｓ（Ｕｎｉｘ（登録商標）ＦｉｌｅＳｙｓｔｅｍ）で管理されたストレージ装置２に接続されており、ネットワークを通じて、メールサーバ３と、クライアントＰＣ−Ａ、クライアントＰＣ−Ｂと接続されている。メールサーバ３とは、具体的に、ＬＡＮによってメールサーバに接続されており、ＳＭＴＰを用いてメール送信を依頼することが可能である。
【００３３】
また複写機１の画像読取部は、一般的な構成で、コンタクトガラス上に原稿を載置し、下方からスキャンして原稿を光学的に読み取るようになっている。
【００３４】
読み取られた原稿データは、デジタル方式の場合、ＣＣＤ（Charge Coupled Device）で電気信号に変換され、さらにデジタルデータに変換される。
【００３５】
この後、各種画像処理が施され、原稿データによって変調されたレーザが感光体に照射されて潜像が形成される。
【００３６】
原稿を読み取るためにコンタクトガラス上に原稿を置くが読み取る前に次の使用者が読み取りを完了したと思い、その原稿を取り除く可能性がある。
【００３７】
読み取り終了後においては、原稿の置き忘れにより前の利用者が読み取りを完了していないと思い、次の使用者の使用時間を遅延させる場合もある。
【００３８】
本発明にかかる複写機１の構成は、読取手段としておよび読み取り動作終了時に残っている原稿を置き忘れ原稿であるか否か判断する検出手段としての光学センサと、原稿の置き忘れ通知先を予め設定する設定手段と、置き忘れ通知先に対して文書データを送信する送信手段と、置き忘れが継続している時間を計測する計測手段とを有する。
【００３９】
また、各種の情報、クライアントＰＣを使用するユーザ情報、画像情報等、画像データと、ユーザ情報を対応させた情報等は、自身の記憶手段に記憶する、または蓄積手段としてのストレージ装置２に記憶する。
【００４０】
具体的には、記憶手段としては、画像メモリ、ユーザ情報記憶部および地紋情報記憶部を有する。画像メモリは、原稿読取部で読み取られた原稿の画像データを記憶する。
【００４１】
設定手段は、記憶手段と、蓄積手段とに記憶保持されているユーザ情報、画像情報等を参照し、それを基に、置き忘れ通知先を設定する。
【００４２】
送信手段は、ネットワークＩ／Ｆを制御して、メールの送信、画像データ送信を行う。
本画像読み取り部は、スキャナ制御部１００及びスキャナ部２００を備えている。
【００４３】
読み取り部は、ＣＰＵ（中央処理装置）、ＲＯＭ（リードオンリーメモリ）、ＲＡＭ（ランダムアクセスメモリ）を有し、光学センサにおける画像読み取りを制御する。ＲＯＭには、画像読み取り部を制御するための制御プログラムが記憶されており、ＣＰＵは、この制御プログラムを実行することで、処理部として機能し、ＲＯＭ及びＲＡＭを記憶部として機能させる。
【００４４】
原稿読取手段としての光学センサは、動作終了後に一例として、１分間以上原稿が残留している場合に、これを置き忘れ原稿と見なす。
【００４５】
表示手段としては、例えば、液晶パネルから構成され、折り畳み式で、本体部に取り付けられている。
【００４６】
操作手段としては、表示手段に表示されたタッチパネルおよび筐体に取り付けられたボタン群から構成され、ユーザの操作指令を受け付ける。
【００４７】
ボタン群としては、原稿台または原稿トレイに載置された原稿の読み取りを開始させる「スタートボタン」、コピー枚数等の数字を入力する「テンキー」、コピー作業開始直前に設定した内容をデフォルトの設定に戻す「リセットボタン」等が含まれる。
【００４８】
この原稿の置き忘れ時間を計る手段は、計測手段としてのタイマを有する。
【００４９】
また、同ＬＡＮにはＰＣが接続されている。各ＰＣではメールソフトが動作し、ＰＯＰ３を用いて定期的にメールサーバにメールの存在を確認しにいく。
【００５０】
上述した構成を有する画像処理装置と、周辺装置との第１の処理について図２を用いて説明する。この手順は、図２によって示される。
【００５１】
ユーザによって、原稿が複写機１にセットされる（ステップＳ２０１）。
【００５２】
ユーザによって、コピー開始が指示される（ステップＳ２０２）。
【００５３】
複写機１は、原稿の読取を行う（ステップＳ２０３）。
【００５４】
読み取った原稿画像の文書データをストレージ２に登録する（ステップＳ２０４）。
【００５５】
複写機１には、予め利用者のメールアドレスを登録する。その際、登録メールアドレスを置き忘れ通知先として設定することができる。この手順は、図３によって示される。
【００５６】
本発明にかかる第１の画像処理装置と、周辺装置との第２の処理について図３を用いて説明する。
【００５７】
まず、ユーザがクライアントＰＣを使用し、利用者登録を行うと、画像処理装置は、利用者の追加を受け付ける（ステップＳ３０１）。
【００５８】
ユーザがクライアントＰＣを使用し、メールアドレスを入力する（ステップＳ３０２）。
【００５９】
ステップＳ３０２の処理後、複写機１は、メールアドレスを自身のメモリに記憶する（ステップＳ３０３）。
【００６０】
ステップＳ３０３の処理後、複写機１は、記憶したメールアドレスを置き忘れ通知先として設定手段に登録するか否かを判断する（ステップＳ３０４）。
【００６１】
ステップＳ３０４の処理後、複写機１は、記憶したメールアドレスを置き忘れ通知先として設定手段に登録するか否かを判断する（ステップＳ３０４）。
【００６２】
記憶したメールアドレスを置き忘れ通知先として設定手段に登録するかと判断した場合（ステップＳ３０４／ＹＥＳ）、置き忘れ通知先として設定手段に設定する（ステップＳ３０５）。
【００６３】
記憶したメールアドレスを置き忘れ通知先として設定手段に登録するべきでないと判断した場合（ステップＳ３０４／ＮＯ）、置き忘れ通知先として設定せずに処理を終了する。
【００６４】
原稿の置き忘れが検出された際には、ストレージ装置２に保存していた同原稿の文書データを、置き忘れ通知先にメール送信する。この手順は、図４によって示される。
【００６５】
本発明にかかる第１の画像処理装置と、周辺装置との第３の処理について図４を用いて説明する。
【００６６】
複写機１が有する光学センサは、ユーザが原稿台に原稿を置き忘れた際に、置き忘れ検出を行う（ステップＳ４０１）。
【００６７】
ステップＳ４０１の処理で光学センサによって、置き忘れが検出されると、設定手段に設定してある通知先情報を読み込む（ステップＳ４０２）。
【００６８】
ステップＳ４０２の処理後、複写機１は、ストレージ２に保存してある文書データを読み込む（ステップＳ４０３）。
【００６９】
ステップＳ４０３の処理後、複写機１は、検出した原稿の文書データと、ストレージ２に保存してある文書データと同一の文書データを設定手段に設定してあるユーザに対してメール送信する（ステップＳ４０４）。
【００７０】
本処理によれば、登録された宛先にのみ文書データが送信されるため、セキュリティが改善される。
【００７１】
原稿の置き忘れが検出された際には、ストレージ２に保存していた同原稿の文書データを、置き忘れ通知先にメール送信する。
さらに、一例として、同原稿の解像度を５０ｄｐｉに落としたものを、置き忘れ通知先以外のメールアドレスに送信する。この手順は、図５によって示される。
【００７２】
本発明にかかる第２の画像処理装置と、周辺装置との第４の処理について図５を用いて説明する。
【００７３】
複写機１が有する光学センサは、ユーザが原稿台に原稿を置き忘れた際に、置き忘れ検出を行う（ステップＳ５０１）。
【００７４】
ステップＳ５０１の処理で光学センサによって、置き忘れが検出されると、複写機１は、自身のメモリに保存またはストレージ２に保存してある利用者情報を読み込む（ステップＳ５０２）。
【００７５】
ステップＳ５０２の処理後、複写機１は、文書データを読み込む（ステップＳ５０３）。
【００７６】
ステップＳ５０３の処理後、複写機１は、読み込んだ文書データと、ストレージ２の保存してある文書データと同一の文書データを設定手段に設定してあるユーザに対してメール送信する（ステップＳ５０４）。
【００７７】
ステップＳ５０４の処理後、複写機１は、画像処理部によって、ストレージ２から取り出した文書データの解像度を変換する（ステップＳ５０５）。
【００７８】
ステップＳ５０５の処理後、複写機１は、ステップＳ５０５の処理で変換した解像度の文書データを設定手段に設定していない通知先に対して送信する（ステップＳ５０６）。
【００７９】
本処理によれば、設定手段に予め設定してあるユーザに対して置き忘れた文書データを送信し、設定手段に設定していないユーザに対しては、解像度を薄くした文書データを送信し、特定のユーザの機密部分を他のユーザに知られないというセキュリティを確保することができる。
【００８０】
個々の原稿には、種別として重要文書か一般書類が設定される。その情報は、地紋によって書類そのものに埋め込まれている。
【００８１】
原稿の置き忘れが検出された際には、その地紋を検出し、重要文書だった場合には置き忘れ通知メールを送信しない。この手順は、図６によって示される。
【００８２】
本発明にかかる第３の画像処理装置と、周辺装置との第５の処理について図６を用いて説明する。
【００８３】
複写機１が有する光学センサは、ユーザが原稿台に原稿を置き忘れた際に、置き忘れ検出を行う（ステップＳ６０１）。
【００８４】
ステップＳ６０１の処理で光学センサによって、置き忘れが検出されると、光学センサは、置き忘れ原稿に埋め込まれている地紋を検出し、原稿の種別を検出する（ステップＳ６０２）。
【００８５】
ステップＳ６０２の処理後、光学センサは、検出した地紋から、原稿の種別を置き忘れ原稿が重要文書であるか否かを検出する（ステップＳ６０３）。
【００８６】
ステップＳ６０３の処理で、複写機１によって、置き忘れ原稿が重要文書でないと判断された場合（ステップＳ６０３／ＮＯ）、処理を終了する。
【００８７】
ステップＳ６０３の処理で、複写機１によって、置き忘れ原稿が重要文書であると判断された場合（ステップＳ６０３／ＹＥＳ）、設定手段に設定してある通知先情報を読み取る（ステップＳ６０４）。
【００８８】
ステップＳ６０４の処理後、複写機１は、自身のメモリに保存またはストレージ２に保存してある文書データを読み込む（ステップＳ６０５）。
【００８９】
ステップＳ６０５の処理後、ステップＳ６０４の処理で読み込んだ通知先情報の通知先に対して文書データを送信する。
【００９０】
本処理によれば、置き忘れが継続した場合には設定済みの置き忘れ通知先に通知を実施することで、原稿の回収を促し、セキュリティが改善される。
【００９１】
装置には、メールアドレスを原稿の種類毎に置き忘れの通知先として設定することができる。この手順は、図７によって示される。
【００９２】
本発明にかかる第４の画像処理装置と、周辺装置との第６の処理について図７を用いて説明する。
【００９３】
ユーザがクライアントＰＣを使用し、または複写機１を直接使用し、通知先追加を行うと、複写機１の設定手段は、通知先の追加を受け付ける（ステップＳ７０１）。
【００９４】
ユーザがクライアントＰＣを使用し、または複写機１を直接使用し、メールアドレスを入力する（ステップＳ７０２）。
【００９５】
ステップＳ７０２の処理後、複写機１およびクライアントＰＣは、メールアドレスを自身のメモリに記憶する（ステップＳ７０３）。
【００９６】
ステップＳ７０３の処理後、ユーザは、複写機１およびクライアントＰＣの表示部を使用し、置き忘れを通知して欲しい原稿種別を設定する（ステップＳ７０４）。
【００９７】
ステップＳ７０４の処理で、ユーザが複写機１およびクライアントＰＣを使用して、複写機１の設定手段に設定した後、他にも、通知して欲しい種別があれば（ステップＳ７０５／ＹＥＳ）、設定手段は、再登録を行う。
【００９８】
ステップＳ７０４の処理で、他にも、通知して欲しい種別がなければ（ステップＳ７０５／ＮＯ）、処理を終了する。
【００９９】
原稿の置き忘れが検出され、それが重要文書だった場合には、重要文書置き忘れの通知先にメール送信する。この手順は、図８によって示される。
【０１００】
本発明にかかる第４の画像処理装置と、周辺装置との第７の処理について図８を用いて説明する。
【０１０１】
複写機１が有する光学センサは、ユーザが原稿台に原稿を置き忘れた際に、置き忘れ検出を行う（ステップＳ８０１）。
【０１０２】
ステップＳ８０１の処理で光学センサによって、置き忘れが検出されると、複写機１は、自身のメモリに保存またはストレージ２に保存してある通知先情報を読み込む（ステップＳ８０２）。
【０１０３】
ステップＳ８０２の処理後、複写機１は、文書データを読み込む（ステップＳ８０３）。
【０１０４】
ステップＳ８０３の処理後、光学センサは、置き忘れ原稿に埋め込まれている地紋を検出し、原稿の種別を検出する（ステップＳ８０４）。
【０１０５】
ステップＳ８０４の処理後、光学センサは、検出した地紋から、原稿の種別を置き忘れ原稿が重要文書であるか否かを検出する（ステップＳ８０５）。
【０１０６】
ステップＳ８０５の処理で、複写機１によって、置き忘れ原稿が重要文書であると判断された場合（ステップＳ８０５／ＹＥＳ）、設定手段で予め関連させて設定しておいた重要文書に対応する通知先に対して文書データをメール送信する（ステップＳ８０６）。
【０１０７】
ステップＳ８０５の処理で、複写機１によって、置き忘れ原稿が重要文書でないと判断された場合（ステップＳ８０５／ＮＯ）、設定手段で設定してある重要文書と対応させた通知先以外の通知先に対して文書データをメール送信する（ステップＳ８０７）。
本処理によれば、原稿の種類によって置き忘れの通知先を変えることができるため、文書の種類に応じたセキュアな通知が可能である。
【０１０８】
原稿の置き忘れが検出された場合には、原稿の地紋からメールアドレスを取得して、それを宛先としてメール送信する。この手順は、図９によって示される。
【０１０９】
本発明にかかる第５の画像処理装置と、周辺装置との第８の処理について図９を用いて説明する。
【０１１０】
複写機１が有する光学センサは、ユーザが原稿台に原稿を置き忘れた際に、置き忘れ検出を行う（ステップＳ９０１）。
【０１１１】
ステップＳ９０１の処理後、複写機１は、文書データを読み込む（ステップＳ９０２）。
【０１１２】
ステップＳ９０２の処理後、光学センサは、置き忘れ原稿に埋め込まれている地紋を検出し、宛先情報を検出する（ステップＳ９０３）。
【０１１３】
ステップＳ９０３の処理後、検出した宛先に対して文書データを送信する（ステップＳ９０４）。
【０１１４】
本処理によれば、個々の原稿に埋め込まれた宛先に置き忘れを通知することで、原稿の回収を促し、セキュリティが改善される。
【０１１５】
重要文書の置き忘れが検出された際には、その時点では誰にも送信しない。
その後１０分以上原稿が放置され続けた場合には、置き忘れ通知メールを送信する。この手順は、図１０によって示される。
【０１１６】
本発明にかかる第６の画像処理装置と、周辺装置との第９の処理について図１０を用いて説明する。
【０１１７】
複写機１が有する光学センサは、ユーザが原稿台に原稿を置き忘れた際に、置き忘れ検出を行う（ステップＳ１００１）。
【０１１８】
ステップＳ１００１の処理後、光学センサは、置き忘れ原稿に埋め込まれている地紋を検出し、宛先情報を検出する（ステップＳ１００２）。
【０１１９】
ステップＳ１００２の処理後、光学センサで検出した地紋から、置忘れ原稿が重要文書であるか否かを判断する（ステップＳ１００３）。
【０１２０】
ステップＳ１００３の処理で、複写機１によって、置き忘れ原稿が重要文書であると判断された場合（ステップＳ１００３／ＹＥＳ）、計測手段としてのタイマで原稿放置時間を１０分として計測し、１０分間以内に回収されたか否かを判断する（ステップＳ１００７）。
【０１２１】
ステップＳ１００３の処理で、複写機１によって、置き忘れ原稿が重要文書でないと判断された場合（ステップＳ１００３／ＮＯ）、利用者情報を読み込む（ステップＳ１００４）。
【０１２２】
ステップＳ１００４の処理後、複写機１は、文書データを読み込む（ステップＳ１００５）。
【０１２３】
ステップＳ１００５の処理後、検出した宛先に対して文書データを宛先へと送信する（ステップＳ１００６）。
【０１２４】
ステップＳ１００７の処理で、複写機１は、１０分間以内に回収されたと判断した場合、（ステップＳ１００７／ＹＥＳ）、処理を終了する。
【０１２５】
ステップＳ１００７の処理で、複写機１は、１０分間以内に回収されていないと判断した場合、（ステップＳ１００７／ＮＯ）、ステップＳ１００４の処理へと戻る。
【０１２６】
本処理によれば、一定時間経過後に置き忘れが通知されて回収が促されるため、重要文書置き忘れが長期化せずにセキュリティが改善される。
【０１２７】
装置には、メールアドレスを原稿の種類毎に置き忘れ、および置き忘れが継続した場合の通知先として設定することができる。この手順は、図１１によって示される。
【０１２８】
本発明にかかる第７の画像処理装置と、周辺装置との第１０の処理について図１１を用いて説明する。
【０１２９】
ユーザがクライアントＰＣを使用し、または複写機１を直接使用し、通知先追加を行うと、複写機１の設定手段は、通知先の追加を受け付ける（ステップＳ１１０１）。
【０１３０】
ユーザがクライアントＰＣを使用し、または複写機１を直接使用し、メールアドレスを入力する（ステップＳ１１０２）。
【０１３１】
ステップＳ１１０２の処理後、複写機１およびクライアントＰＣは、メールアドレスを自身のメモリに記憶する（ステップＳ１１０３）。
【０１３２】
ステップＳ１１０３の処理後、ユーザは、複写機１およびクライアントＰＣの表示部を使用し、置き忘れを通知して欲しい原稿種別を設定する（ステップＳ１１０４）。
【０１３３】
ステップＳ１１０４の処理で、ユーザが複写機１およびクライアントＰＣを使用して、複写機１の設定手段に設定した後、計測手段で計測を行う時間（通知のタイミング）を設定する（ステップＳ１１０５）。
【０１３４】
ステップＳ１１０５の処理後、ステップS１１０４で行った設定の他に設定したい原稿種別があるか否かを判断する（ステップＳ１１０６）。
【０１３５】
ステップＳ１１０６の処理で、他に設定したい原稿種別がないと判断したい場合は、処理を終了する。
【０１３６】
ステップＳ１１０６の処理で、他に設定したい原稿種別があると判断したい場合は、ステップＳ１１０４の処理に戻り、設定手段に原稿種別を設定する。
【０１３７】
重要文書の置き忘れが検出された際には、重要文書置き忘れの通知先にメール送信する。１０分以上重要文書が放置された場合には、置き忘れが継続した場合の通知先にメール送信する。この手順は、図１２によって示される。
【０１３８】
本発明にかかる第７の画像処理装置と、周辺装置との第１１の処理について図１２を用いて説明する。
【０１３９】
複写機１が有する光学センサは、ユーザが原稿台に原稿を置き忘れた際に、置き忘れ検出を行う（ステップＳ１２０１）。
【０１４０】
ステップＳ１２０１の処理後、光学センサは、置き忘れ原稿に埋め込まれている地紋を検出し、宛先情報を検出する（ステップＳ１２０２）。
【０１４１】
ステップＳ１２０２の処理で、光学センサで検出した地紋から、利用者情報を読み込む（ステップＳ１２０３）。
【０１４２】
ステップＳ１２０３の処理後、複写機１は、文書データを読み込む（ステップＳ１２０４）。
【０１４３】
ステップＳ１２０４の処理後、光学センサで検出した地紋から、置忘れ原稿が重要文書であるか否かを判断する（ステップＳ１２０５）。
【０１４４】
ステップＳ１２０５の処理で、複写機１によって、置き忘れ原稿が重要文書でないと判断された場合（ステップＳ１２０５／ＮＯ）、通知先にメール送信する（ステップＳ１２０６）。
【０１４５】
ステップＳ１２０５の処理で、複写機１によって、置き忘れ原稿が重要文書であると判断された場合（ステップＳ１２０５／ＹＥＳ）、設定手段で設定してある重要文書置き忘れ通知先に対して文書データ送信を行う（ステップＳ１２０７）。
【０１４６】
ステップＳ１２０７の処理後、計測手段で計測を行い、１０分間以内に原稿が回収された否かを判断する（ステップＳ１２０８）。
【０１４７】
ステップＳ１２０８の処理で、１０分間以内に原稿が回収されたと判断した場合（ステップＳ１２０８／ＮＯ）、処理を終了する。
【０１４８】
ステップＳ１２０８の処理で、１０分間以内に原稿が回収されたと判断した場合（ステップＳ１２０８／ＹＥＳ）、重要文書置き忘れ継続の通知先にメール送信する（ステップＳ１２０９）。
【０１４９】
原稿の置き忘れが検出された場合には、原稿の地紋から、置き忘れがあった場合に通知すべきメールアドレスを取得して、それを宛先としてメール送信する。
１０分以上重要文書が放置された場合には、原稿の地紋から、置き忘れが継続した場合に通知すべきメールアドレスを取得して、それを宛先としてメール送信する。この手順は、図１３によって示される。
【０１５０】
本発明にかかる第７の画像処理装置と、周辺装置との第１２の処理について図１３を用いて説明する。
【０１５１】
複写機１が有する光学センサは、ユーザが原稿台に原稿を置き忘れた際に、置き忘れ検出を行う（ステップＳ１３０１）。
【０１５２】
ステップＳ１３０２の処理で、光学センサで検出した地紋から、文書データを読み込む（ステップＳ１３０３）。
【０１５３】
ステップＳ１３０２の処理後、光学センサは、置き忘れ原稿に埋め込まれている地紋を検出し、宛先情報を検出する（ステップＳ１３０３）。
【０１５４】
ステップＳ１３０３の処理後、複写機１は、置き忘れ通知先にメール送信する（ステップＳ１３０４）。
【０１５５】
ステップＳ１３０４の処理後、１０分間以内に原稿が回収されたか否かを判断する（ステップＳ１３０５）。
【０１５６】
ステップＳ１３０５の処理で、１０分間以内に原稿が回収されたと判断した場合（ステップＳ１３０５／ＮＯ）、処理を終了する。
【０１５７】
ステップＳ１３０５の処理で、１０分間以内に原稿が回収されたと判断した場合（ステップＳ３０５／ＹＥＳ）、重要文書置き忘れ継続の通知先にメール送信する（ステップＳ１３０６）。
【０１５８】
本発明によれば、重要文書置き忘れの通知を中止するのではなく、重要文書のために設定された置き忘れ通知先に宛先を変更することで、セキュリティが改善される。
【０１５９】
また、置き忘れが発生した時点から、原稿の種類に応じた置き忘れ通知が実施されるため、重要文書の置き忘れが長期化せずに安全性が高まる。
【０１６０】
また、一定時間経過しない限り重要文書の置き忘れが誰にも通知されず、置き忘れの回収が遅れがちになり、セキュリティ上好ましくないという問題を改善し、重要文書置き忘れの通知を中止するのではなく、個々の原稿に埋め込まれた通知先に宛先を変更することで、原稿の回収を促し、セキュリティが改善される。
【０１６１】
さらに、置き忘れが発生した時点から、原稿に埋め込まれた宛先に通知されるため、重要文書の置き忘れが長期化せずに安全性が高まる。
【図面の簡単な説明】
【０１６２】
【図１】本発明に係る画像処理装置と、その周辺装置の構成の一例を示す図である。
【図２】本発明に係る画像処理装置と、その周辺装置における第１の処理を示すフローチャート図である。
【図３】本発明に係る画像処理装置と、その周辺装置における第２の処理を示すフローチャート図である。
【図４】本発明に係る画像処理装置と、その周辺装置における第３の処理を示すフローチャート図である。
【図５】本発明に係る画像処理装置と、その周辺装置における第４の処理を示すフローチャート図である。
【図６】本発明に係る画像処理装置と、その周辺装置における第５の処理を示すフローチャート図である。
【図７】本発明に係る画像処理装置と、その周辺装置における第６の処理を示すフローチャート図である。
【図８】本発明に係る画像処理装置と、その周辺装置における第７の処理を示すフローチャート図である。
【図９】本発明に係る画像処理装置と、その周辺装置における第８の処理を示すフローチャート図である。
【図１０】本発明に係る画像処理装置と、その周辺装置における第９の処理を示すフローチャート図である。
【図１１】本発明に係る画像処理装置と、その周辺装置における第１０の処理を示すフローチャート図である。
【図１２】本発明に係る画像処理装置と、その周辺装置における第１１の処理を示すフローチャート図である。
【図１３】本発明に係る画像処理装置と、その周辺装置における第１２の処理を示すフローチャート図である。
【符号の説明】
【０１６３】
１    複写機
２    ストレージ装置
３    メールサーバ
４    ネットワーク
【図１】
2009100024.tif 000003
【図２】
2009100024.tif 000004
【図３】
2009100024.tif 000005
【図４】
2009100024.tif 000006
【図５】
2009100024.tif 000007
【図６】
2009100024.tif 000008
【図７】
2009100024.tif 000009
【図８】
2009100024.tif 000010
【図９】
2009100024.tif 000011
【図１０】
2009100024.tif 000012
【図１１】
2009100024.tif 000013
【図１２】
2009100024.tif 000014
【図１３】
2009100024.tif 000015